(57)【要約】      （修正有）【課題】フォーカスのための待ち時間を不要としてシャッターチャンスを逃すようなことが無く、かつ、固体撮像素子をフォーカシング姿勢と撮影姿勢に切り換える姿勢切り替え機構などのコストやスペースを必要とする機構も不要で、安価に、小型に構成できる撮像装置を提供する。【解決手段】光学レンズにより結像された被写体像を画像データとして出力する撮像素子の、１辺近傍をレンズから無限遠の位置に置かれた被写体像のピントが合う位置に、この１辺と対向する他の１辺近傍をレンズに設定した最至近距離に置かれた被写体像のピントが合う位置になるようレンズ光軸に対して傾けて設置し、合焦希望位置では、被写体の合焦距離から合焦希望位置までの間隔に応じたエッジ像補正を、合焦希望位置以外の位置では、希望位置からの距離に応じたピントがはずれる方向のエッジ像補正を実施した画像データを出力するよう画像処理する。【選択図】図１
2008028591.tif 000002
【特許請求の範囲】
【請求項１】
光学レンズにより結像された被写体像を画像データとして出力する撮像素子と、前記画像データを記憶する記憶手段とを有する撮像装置における画像処理方法であって、
前記撮像素子は、前記光学レンズ光軸に垂直な面に対して傾けて設置され、
前記撮像素子上の所定位置におけるピントが合う光学レンズと被写体の間隔（以下合焦距離と称す）及び前記被写体が前記合焦距離からの所定距離における前記撮像素子上のエッジ強度と、前記画像データから検出したエッジ部のエッジ強度とから、前記エッジ部の合焦距離からの間隔を取得し、
前記被写体におけるピントを合わせたい位置またはピントを合わせたい距離（以下合焦希望位置または合焦希望距離と称す）では前記取得した被写体上の合焦距離からの間隔に応じたピントが合う方向のエッジ像補正を、前記合焦希望位置または合焦希望距離以外の位置では前記合焦希望位置または合焦希望距離からの距離に応じたピントがはずれる方向のエッジ像補正をおこなうことを特徴とする撮像装置における画像処理方法。
【請求項２】
前記被写体上の合焦希望位置または合焦希望距離における被写体のエッジ強度より点像の広がり量を取得し、前記合焦希望位置または合焦希望距離では取得した点像の広がり量を収斂させる方向のエッジ像補正を、前記合焦希望位置または合焦希望距離以外では、前記合焦希望位置または合焦希望距離からの距離に応じて前記取得した点像の広がり量に比例した広がり量となるエッジ像補正をおこなうことを特徴とする請求項１に記載した撮像装置における画像処理方法。
【請求項３】
前記点像の広がり量は、光学レンズにおける絞り値をＦｎｏ、該Ｆｎｏに対応したエッジ強度の補正係数をＦｎｏ（φ）、指定箇所のエッジ強度をφ、前記撮像素子の光軸に垂直な面に対する傾きをθ、前記撮像素子上の指定位置からの傾き方向への高さをｈ、前記撮像素子の傾きによるエッジ強度補正量をΔφとしたとき、
Δφ  ＝  Ｆｎｏ（θ）×２×ｈ×ｔａｎθ
で算出することを特徴とする請求項２に記載した撮像装置における画像処理方法。
【請求項４】
前記撮像素子における前記光学レンズ光軸に垂直な面に対する角度をθ、該角度θで傾けて配置した撮像素子上の光軸から略等距離の位置に、前記光学レンズに設定した最至近距離に置かれた被写体と無限遠の位置に置かれた被写体との像がピントが合って結像するとき、それぞれの結像位置の光軸方向間隔をΔ、光軸に垂直な方向の間隔をＶとすると、
ｔａｎθ  ≧  Δ／Ｖ
を満足する角度θで設置することを特徴とする請求項１乃至３のいずれかに記載した撮像装置における画像処理方法。
【請求項５】
前記傾けて設置された撮像素子から出力される画像のひずみを、前記撮像素子の傾き角度に応じて補正して前記エッジ像補正を行うことを特徴とする請求項１乃至４のいずれかに記載した撮像装置における画像処理方法。
【請求項６】
光学レンズにより結像された被写体像を画像データとして出力する撮像素子と、前記画像データを記憶する記憶手段と、前記画像データを表示する表示手段とを有する撮像装置であって、
前記撮像素子は、前記光学レンズ光軸に垂直な面に対して傾けて設置され、
前記撮像素子上の所定位置におけるピントが合う光学レンズと被写体の間隔（以下合焦距離と称す）と、前記被写体が前記合焦距離からの所定距離における前記撮像素子上のエッジ強度とを記憶した合焦データ記憶手段と、前記表示装置に表示された画像におけるピントを合わせたい位置を指定する合焦希望位置または合焦希望距離指示手段と、前記画像データからエッジ部を検出して該エッジ部のエッジ強度を取得するエッジ特徴量取得手段と、該エッジ特徴量取得手段が取得した各エッジ部のエッジ強度と、前記合焦データ記憶手段に記憶された合焦距離及びエッジ強度とから、被写体上の前記エッジ部の合焦距離からの間隔を取得して該間隔に相当するエッジ像補正をおこなう画像補正処理手段とを備え、
前記被写体における、前記合焦希望位置または合焦希望距離指示手段が指定した合焦希望位置または合焦希望距離では取得した被写体上の合焦距離からの間隔に応じたピントが合う方向のエッジ像補正を、前記合焦希望位置または合焦希望距離以外の位置では被写体上の合焦希望位置からの距離に応じたピントがはずれる方向のエッジ像補正をした画像データを出力することを特徴とする撮像装置。
【請求項７】
前記画像補正処理手段は、検出した被写体上の合焦希望位置または合焦希望距離における被写体のエッジ強度より点像の広がり量を取得し、前記合焦希望位置または合焦希望距離では取得した点像の広がり量を収斂させる方向のエッジ像補正を、前記合焦希望位置または合焦希望距離以外では、前記合焦希望位置または合焦希望距離からの距離に応じて前記取得した点像の広がり量に比例した広がり量となるエッジ像補正をおこなうことを特徴とする請求項６に記載した撮像装置。
【請求項８】
前記撮像素子は、前記光学レンズ光軸に垂直な面に対する角度をθ、該角度θで傾けて配置した撮像素子上の光軸から略等距離の位置に、前記光学レンズに設定した最至近距離に置かれた被写体と無限遠の位置に置かれた被写体との像がピントが合って結像するとき、それぞれの結像位置の光軸方向間隔をΔ、光軸に垂直な方向の間隔をＶとすると、
ｔａｎθ  ≧  Δ／Ｖ
を満足する角度θで設置されていることを特徴とする請求項６または７に記載した撮像装置
【請求項９】
前記光学レンズ系光軸に対して傾けて設置された撮像素子から出力される画像のひずみを、前記撮像素子の傾き角度に応じて補正するひずみ補正処理部を有することを特徴とする請求項６乃至８のいずれかに記載した撮像装置。
【請求項１０】
前記撮像素子は、被写体上部が前記光学レンズにおける無限遠位置に、被写体下部が最至近距離に対応して配されていることを特徴とする請求項６乃至９のいずれかに記載した撮像装置。
【発明の詳細な説明】
【技術分野】
【０００１】
本発明は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｅｒ）で構成される撮像素子上に光学レンズ系によって被写体像を結像させ、画像データとして取り出してメモリなどに記憶させる所謂デジタルカメラに代表される撮像装置における画像処理方法と撮像装置に関し、特に、フォーカスのための待ち時間を不要とし、シャッターチャンスを逃すようなことを無くした撮像装置における画像処理方法と撮像装置に関するものである。
【背景技術】
【０００２】
最近のカメラには、初心者にとって困難なピント合わせを自動的に行うオートフォーカス機能を搭載したものが多い。このオートフォーカスの方式としては、カメラ側から信号を発して被写体から反射した信号が到達するまでの時間を測定し、それを距離に換算してフォーカスレンズを駆動して行うアクティブ方式や、撮影レンズに入ってくる光の情報を用いて焦点位置を検出し、フォーカスレンズを駆動するパッシブ方式などがある。
【０００３】
このうちアクティブ方式は、測距用の信号を発する赤外線等の発光素子や反射してきた信号を受ける受光素子を必要とし、その分カメラ内にスペースが必要となるからカメラが大型化すると共にコスト的にも不利になる、という問題を含んでいる。それに対し、例えばコントラスト方式（周波数分離方式）で代表されるパッシブ方式では、撮影レンズに入ってくる光の情報を用いてピント合わせするため、発光素子や受光素子が必要なく、部品数がアクティブ方式に較べて少なくて済むと共にスペースも必要ないから、それだけコスト的に有利になる。特にデジタルカメラでは、撮像素子がそのままオートフォーカス用として使うことが可能であるから、この方式を用いているものが多い。
【０００４】
上記したコントラスト方式（周波数分離方式）は、撮像素子上に投影された被写体像におけるコントラスト比や周波数成分がピントが合っている時に最も大きくなる、という性質を用いて焦点合わせするもので、フォーカスレンズまたは撮像素子をレンズの光軸方向に小さく前後させ、変化するコントラスト比または周波数成分が最も高くなった位置が焦点の合った位置である、と判断する。
【０００５】
しかしながらこのコントラスト方式では、フォーカスレンズまたは撮像素子をレンズの光軸方向に小さく前後させているため、常時ピントの合った画像を表示装置に表示させるようにした場合に電力消費が大きい。また、ピント合わせのためにレンズを無限遠側と至近側のどちら方向に動かせばよいのかの判断や、コントラストが低くてどこにピントを合わせたらよいかわかりずらい被写体では、コントラストが最大となる位置を探すのに時間が掛かってしまうため、シャッターチャンスを逃してしまうという問題もある。
【０００６】
そのため特許文献１には、ビデオカメラに関するものではあるが、固体撮像手段をフォーカスレンズの光軸に対して所定角度（明細書中では極めて小さい値としている）傾け、撮像手段におけるレンズに対して遠い領域の撮像出力と、近い領域の撮像出力とを比較し、よりコントラストの高い方向へレンズを動かすようにして、オートフォーカスに掛かる時間を短縮するようにした技術が示されている。
【０００７】
また特許文献２には、固体撮像素子の法線方向を撮影光学系の光軸方向に一致させた撮影姿勢と、固体撮像素子の法線方向を撮影光学系の光軸方向に対し傾けたフォーカシング姿勢とに切り換え可能に構成し、フォーカシングの際、固体撮像素子の姿勢をフォーカシング姿勢として撮影光学系を移動させ、固体撮像素子上に設定された複数の領域それぞれのコントラストを検知してピントの合った位置を検出することで、高速にオートフォーカスを実現できるようにしたデジタルカメラが示されている。
【０００８】
【特許文献１】特開平３−１１７１８２号公報
【特許文献２】特開２００４−１３８８０６号公報
【発明の開示】
【発明が解決しようとする課題】
【０００９】
しかしながら特許文献１に示されたビデオカメラは、極めて小さい角度とはいえ固体撮像手段をフォーカスレンズの光軸に対して傾けているから、傾けない場合に比較し、固体撮像手段上におけるレンズに対して遠い領域と近い領域とでのピントの合い方が異なってくる。ビデオカメラは、撮像素子の画素数が現在のデジタルカメラに比較して少なく、傾け角度が小さければピントの合い方の違いはそれほど目立たないかもしれないが、素子数が多い高精細なデジタルカメラではその違いがわかってしまう。また特許文献２に示されたデジタルカメラでは、固体撮像素子をフォーカシング姿勢と撮影姿勢に切り換える姿勢切り替え機構が必要であり、その分、スペースが必要であると共に高価になる。
【００１０】
そのため本発明においては、フォーカスのための待ち時間を不要としてシャッターチャンスを逃すようなことが無く、かつ、固体撮像素子をフォーカシング姿勢と撮影姿勢に切り換える姿勢切り替え機構などのコストやスペースを必要とする機構も不要で、安価に、小型に構成できる所謂デジタルカメラに代表される撮像装置を提供することが課題である。
【課題を解決するための手段】
【００１１】
上記課題を解決するため本発明における撮像装置における画像処理方法と撮像装置は、
光学レンズにより結像された被写体像を画像データとして出力する撮像素子と、前記画像データを記憶する記憶手段とを有する撮像装置における画像処理方法であって、
前記撮像素子は、前記光学レンズ光軸に垂直な面に対して傾けて設置され、
前記撮像素子上の所定位置におけるピントが合う光学レンズと被写体の間隔（以下合焦距離と称す）及び前記被写体が前記合焦距離からの所定距離における前記撮像素子上のエッジ強度と、前記画像データから検出したエッジ部のエッジ強度とから、前記エッジ部の合焦距離からの間隔を取得し、
前記被写体におけるピントを合わせたい位置またはピントを合わせたい距離（以下合焦希望位置または合焦希望距離と称す）では前記取得した被写体上の合焦距離からの間隔に応じたピントが合う方向のエッジ像補正を、前記合焦希望位置または合焦希望距離以外の位置では前記合焦希望位置または合焦希望距離からの距離に応じたピントがはずれる方向のエッジ像補正をおこなうことを特徴とする。
【００１２】
撮像装置をこのように構成することで、ピントを合わせたい被写体が中央に無くても、撮影者が画面のピントを合わせたい箇所またはピントを合わせたい距離を指定すれば、その箇所或いは距離にあたかもピントが合ったような画像にする、あるいは画面全体をピントが合っているような画像にすることが可能となる。従って、前記したようにオートフォーカスに時間がかかってシャッターチャンスを逃すようなことが無く、かつ、機械的に動く部分がないからそれらの機構駆動用の要素が不要となり、安価に、小型に構成できる撮像装置における画像処理方法と撮像装置を提供することができる。
【００１３】
そして、前記被写体上の合焦希望位置または合焦希望距離における被写体のエッジ強度より点像の広がり量を取得し、前記合焦希望位置または合焦希望距離では取得した点像の広がり量を収斂させる方向のエッジ像補正を、前記合焦希望位置または合焦希望距離以外では、前記合焦希望位置または合焦希望距離からの距離に応じて前記取得した点像の広がり量に比例した広がり量となるエッジ像補正をおこない、更にそのために、前記点像の広がり量は、光学レンズにおける絞り値をＦｎｏ、該Ｆｎｏに対応したエッジ強度の補正係数をＦｎｏ（φ）、指定箇所のエッジ強度をφ、前記撮像素子の光軸に垂直な面に対する傾きをθ、前記撮像素子上の指定位置からの傾き方向への高さをｈ、前記撮像素子の傾きによるエッジ強度補正量をΔφとしたとき、
Δφ  ＝  Ｆｎｏ（θ）×２×ｈ×ｔａｎθ
で算出することで、簡単な構成で必要なピント調整を画面全体に施すことができる。
【００１４】
さらに、前記撮像素子における前記光学レンズ光軸に垂直な面に対する角度をθ、該角度θで傾けて配置した撮像素子上の光軸から略等距離の位置に、前記光学レンズに設定した最至近距離に置かれた被写体と無限遠の位置に置かれた被写体との像がピントが合って結像するとき、それぞれの結像位置の光軸方向間隔をΔ、光軸に垂直な方向の間隔をＶとすると、
ｔａｎθ  ≧  Δ／Ｖ
を満足する角度θで設置することが本発明の好ましい実施形態である。
【００１５】
また、前記傾けて設置された撮像素子から出力される画像のひずみを、前記撮像素子の傾き角度に応じて補正して前記エッジ像補正を行うことで、撮像素子を傾けることで生じるひずみが補正され、ひずみのない画像が得られる撮像装置における画像処理方法と撮像装置を提供することができる。
【００１６】
さらに、前記撮像素子は、被写体上部が前記光学レンズにおける無限遠位置に、被写体下部が最至近距離に対応して配されていることで、風景や風景を背景とした被写体では、空の部分が無限遠となるから補正量の少ない画像データを得ることができ、より、画像補正処理が容易な撮像装置を提供することができる。
【発明の効果】
【００１７】
以上記載のごとく本発明は、フォーカスのための待ち時間を不要としてシャッターチャンスを逃すようなことが無く、かつ、固体撮像素子をフォーカシング姿勢と撮影姿勢に切り換える姿勢切り替え機構などのコストやスペースを必要とする機構も不要で、安価に、小型に撮像装置を構成できる。
【発明を実施するための最良の形態】
【００１８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。特に以下の本実施例説明では、デジタルカメラを例として説明するが、他の撮像装置であっても良いことは当然のことである。
【実施例１】
【００１９】
図１は、（Ａ）が実施形態になる撮像装置における撮像素子の設置状態を概略的に示すと共に、ピント合わせの画像処理を説明するための図で、（Ｂ）がデジタルカメラにおける背後（被写体とは反対側）に設けられた表示装置と、表示装置上の上のピントを合わせたい位置を指示するための合焦位置指示手段と合焦距離指示手段の１例を示した図、図２は実施形態になる撮像装置の画像処理回路の概略ブロック図、図３、図４は実施形態になる撮像装置における画像処理のフロー図、図５は図４のフロー図に基づく画像処理を説明するための図、図６は撮像素子を傾けたことにより画像に生じるひずみを示した図、図７（Ａ）は本発明の撮像装置を用いて撮影した画像データにおけるボケ具合を誇張して示した図、（Ｂ）が所定位置にピントを合わせる画像処理を施した後の画像データにおけるボケ具合を誇張して示した図、図８は撮像装置に用いられる光学レンズのＦナンバー（焦点距離レンズの絞りによる有効開口で割った値）に対応するボケ量を算出するためのボケ係数を示したグラフである。
【００２０】
最初に図１に基づき、実施形態になる撮像装置の概略を説明すると、実施形態になる撮像装置は、通常の撮像装置と同様、光学レンズ１０によってＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｅｒ）で構成される撮像素子１１上に被写体像を結像させ、画像データとして取り出して、表示装置１５に表示したり図示していない外部記憶装置に記憶する。
【００２１】
しかし、撮像素子１１は通常の撮像装置と異なり、例えばＰで示した位置が光学レンズ１０における無限遠とみなせる距離、Ｎで示した位置が光学レンズ１０に設定した最至近距離とした場合、光学レンズ１０により、位置Ｐに置かれた被写体の像がピントの合った像として結像する位置に撮像素子１１の１辺近傍が、位置Ｎに置かれた被写体の像がピントの合った像として結像する位置に撮像素子１１の他の１辺近傍が位置するよう、光軸Ｈに直交する方向に対してθだけ傾けて設置されている。
【００２２】
すなわちこの撮像装置の撮像素子１１は、焦点距離ｆの光学レンズ１０における無限遠の位置Ｐに置かれた被写体の像がピントの合った像として結像する位置と、最至近距離Ｎに置かれた被写体の像がピントの合った像として結像する位置とにおける、ピント位置の移動量をΔ、撮像素子１１を傾けてそれぞれの結像位置を１辺近傍と他の１辺近傍となるようにしたときのそれぞれの位置の間隔（幅）をＶ、撮像素子１１の光軸Ｈに垂直な面に対する傾け角度をθとすると、下記（１）式を満足するように設置するわけである。
ｔａｎθ  ≧  Δ／Ｖ  ………………………………（１）
【００２３】
そのため、撮像素子１１上にピントが合うような撮像装置からの距離（以下この距離を合焦距離と称する）にある被写体の部位以外は、ピントがはずれた状態で結像することになるが、撮像素子１１上の特定位置を指定すると、その位置にピントが合う合焦距離が判明する。
【００２４】
通常、被写体上における周囲と明度が異なる点は、ピントが合った状態では周囲とのコントラストが最大となり、ピントがはずれた状態では、その点の画像が広がりを持って結像するから周囲とのコントラストも低下する。このコントラストの変化を検出して焦点合わせをするのが前記したコントラスト方式（周波数分離方式）のオートフォーカスであるが、このコントラストの広がり状態（ボケ量）を検出することで、逆にその広がりを収斂させ、ピントの合った状態に近い状態を作り出すことが可能であり、画像処理の分野では、ＵＳＭ（アン・シャープネス・マスキング）として実用化されている。
【００２５】
本実施形態になる撮像装置では、この原理を利用し、まず予め、撮像素子１１上の特定位置における合焦距離と、その合焦距離からズレた距離にある被写体による撮像素子１１上の像のボケ具合をコントラストの状態（以下エッジ強度情報と称する）として調べ、合焦距離からのズレ量とエッジ強度情報との関係（以下合焦データと称する）として記憶装置に記憶しておく。そして撮像素子１１上の各位置における合焦距離とエッジ強度情報とから、撮像素子１１上の各位置に対応した被写体部位がそれぞれ撮像装置からどのような距離にあるかを予測し、それによって各位置のコントラスト状態を収斂させて、あたかも特定位置にピントがあったような画像を画像処理によって作り出せるようにした。
【００２６】
このとき、ボケ量は光学レンズ１０の絞り値（Ｆナンバー）によっても変化するが、そのＦナンバーによる補正係数を示したのが図８に示したグラフであり、この図８に於いては、撮像したときの光学レンズ１０の絞り値（Ｆｎｏ）が横軸に、それぞれのＦｎｏに対応したエッジ強度（ボケ量）の補正係数Ｆｎｏ（φ）が縦軸に示されている。そして、指定箇所のボケ量（エッジ強度）をφ、撮像素子１１の光軸に垂直な面に対する傾きを前記したようにθ、撮像素子１１上の指定位置からの傾き方向への高さをｈ、撮像素子１１の傾きによるボケ補正量をΔφとすると、Δφは次の（２）式で算出できる。
Δφ  ＝  Ｆｎｏ（θ）×２×ｈ×ｔａｎθ  …………………………（２）
【００２７】
そして本発明では、被写体上の合焦希望位置、または合焦希望距離における被写体のエッジ強度情報より点像の広がり量を算出し、合焦希望位置、または合焦希望距離では算出した点像の広がり量を収斂させる方向のエッジ像補正を、合焦希望位置、または合焦希望距離以外の部位に於いては、合焦希望位置、または合焦希望距離からの距離に応じて算出した点像の広がり量に比例した広がり量となるエッジ像補正をおこなうようにした。
【００２８】
従って実施形態になる撮像装置は、オートフォーカスのために光学レンズを動かす機構が無いだけでなく、ピント合わせのためにフォーカス用レンズを動かす機構そのものが存在せず、その代わり、撮影した画像上のピントを合わせたい位置を指定する合焦位置指示手段、またはピントを合わせたい距離を指定する合焦距離指示手段が設けられている。
【００２９】
そして撮影にあたっては、単に構図だけを考えてシャッターチャンスを逃さないよう撮影するか、または被写体までの距離が予めわかっている場合はその距離を合焦距離指示手段により指定して撮影し、構図だけを考えて撮影した場合は後で表示装置に表示された撮像画像のピントを合わせたい位置を合焦位置指示手段により指示する。その撮影結果を誇張して示したのが図７である。この図７に於いて（Ａ）は本発明の撮像装置を用いて撮影した画像データにおけるボケ具合を誇張して示した図、（Ｂ）が所定位置にピントを合わせる画像処理を施した後の画像データにおけるボケ具合を誇張して示した図であり、本発明の撮像装置を用いて一定距離にある被写体を撮影すると、図７（Ａ）に一例を示したように例えば無限遠Ｐ側のボケ量は小さく、最至近距離Ｎ側ではボケ量が大きくなる。
【００３０】
そのため、例えば図７（Ａ）における７０の位置にピントを合わせたいと撮影者が合焦位置指示手段で指示すると、後記する画像処理により、図７（Ｂ）に示したように、この合焦位置指示手段により指示した被写体位置、または合焦距離指示手段により指定した距離にある被写体にはピントが合い、それらの距離以外は、合焦位置指示手段により指示した位置に対応する被写体と撮像装置の距離、または合焦距離指示手段により指定した距離からの離れ具合に対応したボケ具合となるよう処理し、あたかも希望位置、希望距離にピントがあった画像が得られるようにしたものである。
【００３１】
このように撮像装置を構成することにより、デジタルカメラの場合はオートフォーカスに時間がかかってシャッターチャンスを逃すようなことが無く、かつ、機械的に動く所がないからそれらの機構駆動用の要素が不要となって、安価に、小型に構成できる撮像装置を提供することができる。
【００３２】
以上が実施形態になる撮像装置の概略であるが、以下、図面を参照しながらさらに本発明を詳細に説明する。まず図１（Ａ）において１２は被写体であり、ａ’は被写体１２におけるピントを合わせたい部位（被写体上の合焦希望位置）、１３は他の被写体でｂ’は他の被写体１３上の部位、図１（Ｂ）における１４は表示装置１５や合焦位置指示手段１６、合焦距離指示手段１７等を配した例えば実施形態の撮像装置を有するデジタルカメラにおける背面側の概略構成で、デジタルカメラには、この他に一般的に、電源釦、レリーズ釦、メニューを表示したりズーミングを指示するための釦等が設けられるが、この図では省略している。１８は合焦位置指示手段１６によって移動し、被写体上の合焦希望位置を指示するためのカーソルである。
【００３３】
なお、合焦位置指示手段１６は、例えば４方向にカーソル１８を移動させる矢印キーと中央に決定釦を備え、カーソル１８を移動させたい方向の矢印キーを押すことで合焦希望位置を指示し、また、合焦距離指示手段１７は、例えば合焦距離を表示したダイヤルキーや、回転させることで例えば表示装置１５に合焦希望距離を表示するようにしたダイヤルキーなどで構成するが、合焦希望位置や合焦希望距離を指示できるものであればどのような形態のものでも良いことは自明である。
【００３４】
また、ａは表示装置１５に表示された被写体１２における撮像画像上の合焦希望位置、ｂは同じく表示装置１５に表示された他の被写体１３における撮像画像上の部位、Ａは被写体上の合焦希望位置ａ’から光学レンズ１０までの距離、Ａ’は撮像素子１１における合焦希望位置ａに対応する合焦距離、Ｂは他の被写体上の部位ｂ’から光学レンズ１０までの距離、Ｂ’は撮像素子１１における部位ｂに対応する合焦距離、ｄ１は被写体１２上の合焦希望位置ａ’からその合焦距離Ａ’迄の距離、ｄ２は他の被写体１３上の部位ｂ’からその合焦距離Ｂ’迄の距離、ｄ３はＡとＢの距離差である。
【００３５】
図２は実施形態になる撮像装置の画像処理回路の概略ブロック図であり、図中１５は図１に示した表示装置、１６は同じく合焦位置指示手段たる合焦希望位置指示装置、１７は同じく合焦距離指示手段たる合焦距離指示装置、２０は前記した撮像素子１１と、その撮像素子１１からの出力信号を増幅するゲインアンプや、アナログ画像信号をデジタルの画像信号に変換するＡ／Ｄコンバータなどを有し、撮像した画像の信号を出力する撮像部、２１は、撮像部２０からの画像信号に対し、カラー調整、ガンマ補正、輝度信号生成等の演算を施す画像処理部、２２は画像処理部２１から得られる画像データのひずみを補正するひずみ補正処理部で、これは前記図１で説明したように、撮像部２０を構成する撮像素子１１が光学レンズ１０の光軸Ｈに直交する方向に対してθだけ傾けて設置されているため、例えば光軸に直交する面に矩形状被写体を置くと、得られる画像は図６に示したように、無限遠Ｐ側の幅６０が至近距離Ｎ側６１の幅より狭くなった像となる。このひずみ補正処理部２２は、このひずみを補正するものである。なおこの図６では、図１における（Ｂ）のように図上無限遠Ｐ側が上に、至近距離Ｎ側が下になるように示してある。
【００３６】
２３はひずみを補正した画像を記憶する画像記憶部、２４は画像記憶部２３に記憶された画像データ中から、ピント合わせに使える被写体上のコントラストの大きい部位（以下エッジ部と称する）を検出するエッジ検出部、２５はエッジ検出部が検出したエッジ部の画像データから、像のボケ具合をエッジ強度情報として取得するエッジ特徴量取得部、２６は前記したように予め撮像素子１１上の特定位置における合焦距離と、その合焦距離からズレた距離にある被写体による撮像素子１１上の像のボケ具合をエッジ強度情報（コントラストの状態）として調べ、合焦距離からのズレ量とエッジ強度情報との関係データとして記憶し、さらに撮像装置に用いられる光学レンズのＦナンバー（焦点距離レンズの絞りによる有効開口で割った値）に対応する、ボケ量を算出するための図８のグラフに示したようなボケ係数をも記憶している合焦データ記憶装置、２７はエッジ特徴量取得部２５や合焦データ記憶装置２６からのデータを基に、画像記憶部２３に記憶された画像データにおける合焦位置指示手段１６、合焦距離指示手段１７で指示された合焦希望位置や合焦希望距離にピントがあったかのように画像データを処理する画像補正処理部、２８は画像補正処理部で処理した画像データを記憶する補正画像記憶部、２９はＳＤメモリーカードなどの外部記憶装置である。
【００３７】
図３、図４は実施形態になる撮像装置における画像処理のフロー図である。今、図１（Ａ）に示したように、実施形態の撮像装置を備えたデジタルカメラに対して被写体１２、１３が位置し、これを図１（Ｂ）のように撮影して被写体１２におけるａの位置にピントを合わせた画像が欲しいという場合、撮影後にピントを合わせる位置を指定するときは図示していないシャッタ釦を操作し、撮影を実施する。また、予め被写体までの距離がわかっており、かつ、急いで撮影する必要がない場合は、合焦距離指示手段１７によって合焦希望距離Ａを指示して撮影を実施してもよい。
【００３８】
撮影を実施すると、図２の撮像部２０を構成する図１に１１で示した撮像素子で撮像した画像データが出力され、その信号は、ゲインアンプで増幅されてアナログ信号がＡ／Ｄコンバータでデジタル信号に変換される。そして、画像処理部２１でカラー調整、ガンマ補正、輝度信号生成等の演算が施され、ひずみ補正処理部２２によって画像データのひずみが補正される。
【００３９】
このひずみ補正処理部２２におけるひずみ補正は、前記したように撮像部２０を構成する撮像素子１１が光学レンズ１０の光軸Ｈに直交する方向に対してθだけ傾けて設置されているため、例えば光軸に直交する面に矩形状被写体を置くと、得られる画像は図６に示したように、無限遠Ｐ側６０の幅が至近距離Ｎ側６１の幅より狭くなった台形状の像となるのを補正するものである。このひずみ補正処理部２２では、例えば図１の光学レンズ１０の焦点距離がｆ、最至近距離Ｎに置かれた被写体の光学レンズ１０による結像位置からレンズまでの距離を（ｆ＋ｄｘ）とすると、無限遠Ｐと最至近距離Ｎにそれぞれ置かれた同一長さの被写体は、撮像素子１１上にｆ／ｆと（ｆ＋ｄｘ）／ｆの倍率で結像することになり、最至近距離Ｎに置かれた被写体は、無限遠Ｐに置かれた被写体よりｄｘ／ｆだけ大きくなる。
【００４０】
そのためこのひずみ補正処理部２２では、この関係に基づいて、撮像素子１１上のそれぞれの位置における補正倍率を算出し、光軸に直交する面に置かれた矩形状被写体が、正しく矩形状として出力されるよう補正するわけである。そしてひずみが補正された画像データは、画像記憶部２３に記憶されて表示装置１５に表示される。なお、可能であるならば撮像素子１１上の素子の間隔を、無限遠Ｐ側６０の幅と至近距離Ｎ側６１の幅とするとこのような補正は不要になる。
【００４１】
こうして撮影画像が得られると次に図３におけるステップＳ４１で、例えば被写体１２におけるａの位置（図１参照）にピントを合わせた画像としたい、という場合は、合焦希望位置指示手段１６によってカーソルをａの位置まで移動させ、中央の決定釦を押下するか、若しくは合焦距離指示手段１７によって合焦希望距離Ａを指示し、合焦希望位置指示手段１６中央の決定釦を押下して合焦希望距離Ａを指示する。
【００４２】
するとステップＳ４２でエッジ検出部２４が、この画像記憶部２３に記憶された画像データを読み出し、ピントを合わせるに使える被写体上のコントラストの大きい部位（以下エッジ部と称する）が探索される。もし画像データ中にエッジ部が全くない場合、ステップＳ４４に行ってピント合わせは不可能、すなわち画像補整不能としてその旨が表示装置１５に表示され、処理が終了する。一方エッジ部が見いだされた場合、ステップＳ４６に進み、エッジ特徴量取得部２５により、各エッジ部の撮像素子１１上の位置とエッジ強度情報が特徴量として取得され、その情報が画像補整処理部２７に送られる。
【００４３】
すると画像補整処理部２７は、送られてきたエッジ部の撮像素子１１上の位置とエッジ強度情報、及び合焦データ記憶装置２６に記憶されている撮像素子１１上の各位置に対応した合焦距離と、その合焦距離からズレた距離にある被写体による撮像素子１１上の像のエッジ強度情報、及び図８のグラフに示した光学レンズのＦナンバーに対応するボケ量を算出するボケ係数とを読み出し、ステップＳ４７で、前記（２）式に基づいて、各エッジ部に対応した被写体位置から光学レンズ１０までの距離と同一距離にあるとみなせる画像エリアを確認する。
【００４４】
これは、各エッジ部のエッジ強度情報が、そのエッジ部に対応する被写体上の部位が合焦距離からどれくらい離れているかを示す情報と考えられるから、例えば撮像素子１１上の第１のエッジ部と第２のエッジ部に対応する被写体上の部位が撮像装置から等距離にある場合、第１のエッジ部と第２のエッジ部のエッジ強度情報は、前記（２）式で算出した値となるから、第１のエッジ部と第２のエッジ部のエッジ強度情報が両者の距離に比例している場合、両者がほぼ同一距離にあるとみなせるため、その画像エリアを確認するものである。
【００４５】
こうして各エッジ部に対応した被写体位置から光学レンズ１０までの距離と同一距離にあるとみなせる画像エリアが確認されると次にステップＳ４８で合焦希望位置ａが指定されたか合焦希望距離Ａが指定されたかが確認される。そして、合焦希望距離Ａが指定された場合は処理がステップＳ６９に進んで図４に示したフローに進む。また、合焦希望位置ａが指定された場合は処理がステップＳ４９に進み、撮像素子１１上の合焦希望位置ａにエッジ部があるか、または被写体の合焦希望位置ａ’と同一距離とみなせるエッジ部があるかどうかが判断され、エッジ部がある場合はステップＳ５１に、被写体の合焦希望位置ａ’と同一距離とみなせるエッジ部がある場合は処理がステップＳ５５に、そのどちらもない場合は処理がステップＳ５０に進み、合焦希望距離Ａを指定するように促してステップＳ６９から図４に示したフローに進む。
【００４６】
合焦希望位置ａ’と同一距離とみなせるエッジ部が有ってステップＳ５１に進んだ場合、画像補正処理部２７は先にエッジ特徴量取得部２５で取得された各エッジ部の撮像素子１１上の位置とエッジ強度情報から、撮像画像上の合焦希望位置ａに対応した合焦距離Ａ’とエッジ強度情報を取得する。
【００４７】
そして次のステップＳ５２で画像補正処理部２７は、この合焦距離Ａ’とエッジ強度情報、及び、合焦データ記憶装置２６に記憶されている、撮像素子１１上の合焦希望位置ａに対応した合焦距離Ａ’からズレた距離にある被写体による撮像素子１１上の像のエッジ強度情報、及び図８のグラフに示した光学レンズのＦナンバーに対応するボケ量を算出するボケ係数とを読み出し、図１に示したように、合焦距離Ａ’と被写体上の合焦希望位置ａ’との距離ｄ１、被写体上の合焦希望位置ａ’と光学レンズ１０との距離Ａとを前記（２）式を用いながら算出する。
【００４８】
そして次のステップＳ５３で画像補正処理部２７は、この被写体上の合焦希望位置ａ’からその合焦距離Ａ’迄の距離ｄ１に相当する焦点（ピント）が合う方向のエッジ像補正を実施する。また画像補正処理部２７は、さらに次のステップＳ５４で、先にステップＳ４７で確認した合焦希望位置ａ’と同一距離にあるとみなせるエリアについては、同様に合焦距離とエッジ強度情報とから、上記距離ｄ１に相当する距離を算出し、その値に基づいて焦点（ピント）が合う方向のエッジ像補正を実施する。
【００４９】
一方ステップＳ４９で被写体上の合焦希望位置ａ’と同一距離とみなせるエッジ部ｃが有ると判断された場合、ステップＳ５５でエッジ部ｃにおける合焦距離Ｃ’とエッジ特徴量（エッジ強度）が取得され、ステップＳ５６でこの合焦距離Ｃ’とエッジ特徴量とから、合焦距離Ｃ’と被写体上の位置ｃ’間の距離ｄ４と、被写体上の位置ｃ’と光学レンズ１０との距離Ｃ（これは合焦希望位置ａ’と光学レンズ１０との距離Ａに等しい）とを算出する。
【００５０】
そして次のステップＳ５７で画像補正処理部２７は、この被写体上の位置ｃ’からその合焦距離Ｃ’迄の距離ｄ４に相当する焦点（ピント）が合う方向のエッジ像補正を実施する。また画像補正処理部２７は、さらに次のステップＳ５８で、先にステップＳ４７で確認した合焦希望位置ａにおける合焦距離Ａ’を取得し、合焦距離Ａ’と被写体上の合焦希望位置ａ’との間の距離ｄ１を算出する。そして次のステップＳ５９で画像補正処理部２７は、合焦希望位置ａにおけるｄ１に相当する焦点が合う方向のエッジ像補正を実施する。
【００５１】
こうして合焦希望位置ａ、または被写体上の位置ｃ’における画像処理が済むと画像補正処理部２７は、処理の済んだデータを補正画像記憶部２８に記憶し、次のステップＳ６０に進み、他の位置ｂに対する処理を行うべく、他の位置ｂの合焦距離Ｂ’とエッジ特徴量を前記したようにして取得する。
【００５２】
そして前記と同様にして画像補正処理部２７は次のステップＳ６１で、被写体上の位置ｂ’と合焦距離Ｂ’との間の距離ｄ２と、被写体上の位置ｂ’と光学レンズ１０との距離Ｂを算出し、先に算出した被写体上の合焦希望位置ａ’から光学レンズまでの距離Ａと、被写体上の位置ｂ’と光学レンズ１０間の距離Ｂとの差の絶対値ｄ３を算出する。この距離ｄ３は、その値が０か、被写体上の位置ｂ’と合焦距離Ｂ’との間の距離ｄ２より大きいか小さいかによって処理が異なり、それがステップＳ６３で判断されて、まず、０の場合は処理がステップＳ６４に進む。
【００５３】
この距離ｄ３が０ということは図１における被写体１３の部位ｂ’が、光学レンズ１０から被写体上の合焦希望位置ａ’と同一距離にあるということであり、この場合は被写体上の位置ｂ’と合焦距離Ｂ’との間の距離ｄ２相当のピントが合う方向のエッジ像補正を実施する。
【００５４】
この距離ｄ３が被写体上の位置ｂ’と合焦距離Ｂ’との間の距離ｄ２より大きい場合、処理がステップＳ６６に進み、合焦距離Ｂ’から距離ｄ３に相当するピントがはずれる方向のエッジ像補正が実施される。また、逆に小さい場合はステップＳ６５に進み、合焦距離Ｂ’から距離ｄ３に相当するピントが合う方向のエッジ像補正が実施される。
【００５５】
これは、被写体１３上の位置ｂ’は現在、撮像素子１１上の位置ｂに対応した合焦距離Ｂ’から離れている量のボケ方をしているためで、合焦希望位置ａにピントを合わせる場合は、被写体１２上の合焦希望位置ａ’から被写体１３上の位置ｂ’がどのくらいの距離離れているかを求めてその距離に相当するボケ量とするからである。
【００５６】
こうして撮像素子１１上の位置ｂの処理ができると、次のステップＳ６７で画像補正処理部２７は、先にステップＳ４７で確認した、撮像素子１１上の位置ｂと光学レンズ１０との間の距離Ｂと同一の距離であるとみなせるエリアについて同様の処理を行い、エッジ像補正を実施して実施結果を補正画像記憶部２８に記憶する。
【００５７】
そして撮像素子１１上の全てのエリアに対応した画像データの処理が済むと画像補正処理部２７は、補正画像記憶部２８に記憶した画像データを表示装置１５に送って表示させたり、外部記憶装置２９に送って保存したりし、ステップＳ６８で終了する。
【００５８】
以上が合焦希望位置ａを指定した場合の処理であるが、次に図４のフロー図と図５を用い、合焦希望距離Ａを指示した場合の処理について説明する。なお、図５に於いて図１と同様な構成要素には同一番号が付してあり、図中１０は光学レンズ、１１は撮像素子、１２は被写体であり、Ａは図３におけるステップＳ４１またはＳ５０で指定した合焦希望距離、ｆ’は被写体１２上の部位で、この図５では、この被写体１２上の部位ｆ’と光学レンズ１０との距離Ｆが合焦希望距離Ａに等しい場合である。１３は他の被写体で、ｅ’は被写体上の位置、１４は実施形態の撮像装置を備えたデジタルカメラにおける背面側の概略構成を示した図、１５は表示装置、１６は合焦位置指示手段、１７は合焦距離指示手段、１８はカーソルである。また、ｆは被写体１２の部位ｆ’に対応した撮像素子１１上の位置、Ｆ’は被写体１２の部位ｆ’に対応した合焦距離、ｅは被写体１３の部位ｅ’に対応した撮像素子１１上の位置、Ｅは被写体１３の部位ｅ’と光学レンズ１０との間の距離、Ｅ’は被写体１３の部位ｅ’に対応した合焦距離、ｄ５は被写体１３上の部位ｅ’からその合焦距離Ｅ’迄の距離、ｄ６は被写体１２上の部位ｆ’からその合焦距離Ｆ’迄の距離、ｄ７は合焦希望距離Ａと被写体ｅ’との距離差である。
【００５９】
前記図３のフローにおけるステップＳ４８で合焦希望距離Ａが指定されたと判断されたか、若しくはステップＳ４９で合焦希望位置ａにエッジ部が無く、また合焦希望位置ａに対応した被写体１２上の部位ａ’と光学レンズ１０との間の距離Ａと等しい距離のエッジ部が無くて、ステップＳ５０に於いて合焦希望距離Ａが指定され、ステップＳ６９から図４のステップＳ７０に処理が飛んだとき、画像補正処理部２７は、各エッジ部ｅの合焦距離Ｅ’とエッジ強度情報、及び、合焦データ記憶装置２６に記憶されている撮像素子１１上の各エッジ部ｅに対応した合焦距離Ｅ’からズレた距離にある被写体ｅ’による撮像素子１１上の像のエッジ強度情報、及び図８のグラフに示した光学レンズのＦナンバーに対応するボケ量を算出するボケ係数とを読み出し、合焦距離Ｅ’と被写体上の部位ｅ’との距離ｄ５、被写体上の部位ｅ’と光学レンズ１０との距離Ｅとを算出する。
【００６０】
そして次のステップＳ７２で画像補正処理部２７は、各エッジ部ｅの中にＥ＝Ａのエッジ部ｆが有るかどうか判断し、無い場合はステップＳ７５へ、有る場合はステップＳ７３へ進む。ステップＳ７３に進んだ場合はＥ＝Ａのエッジ部ｆの被写体上の位置ｆ’とその合焦距離Ｆ’との間の距離ｄ６と、被写体上の位置ｆ’と光学レンズ１０との距離Ｆ（＝Ａ）とを取得し、ｄ６に相当する焦点（ピント）が合う方向のエッジ像補正を実施する。
【００６１】
次のステップＳ７５で画像補整処理部２７は、他のエッジ部ｅにおける被写体上の部位ｅ’と光学レンズ１０との間の距離Ｅと、合焦希望距離Ａとの差の絶対値ｄ７を算出する。この距離ｄ７は、その値が０か、被写体上の位置ｅ’と合焦距離Ｅ’との間の距離ｄ５より大きいか小さいかによって処理が異なり、それがステップＳ７６で判断されて、まず、０の場合は処理がステップＳ７７に進む。
【００６２】
この距離ｄ７が０ということは図５における被写体１３の部位ｅ’が、合焦希望距離Ａにあるということであり、この場合は被写体上の位置ｅ’と合焦距離Ｅ’との間の距離ｄ５相当のピントが合う方向のエッジ像補正を実施する。
【００６３】
またこの距離ｄ７が被写体上の位置ｅ’と合焦距離Ｅ’との間の距離ｄ５より大きい場合、処理がステップＳ７９に進み、合焦距離Ｅ’から距離ｄ７に相当するピントがはずれる方向のエッジ像補正が実施される。また、逆に小さい場合はステップＳ７８に進み、合焦距離Ｅ’から距離ｄ７に相当するピントが合う方向のエッジ像補正が実施される。
【００６４】
これは、被写体１３上の位置ｅ’は現在、撮像素子１１上の位置ｅに対応した合焦距離Ｅ’から離れている方向のボケ方をしているためで、合焦希望距離Ａにピントを合わせる場合は、この合焦希望距離Ａからどのくらいの距離離れているかを求めてその距離に相当するボケ量とするからである。
【００６５】
こうして被写体１３上の位置ｅの処理ができると、次のステップＳ８０で画像補正処理部２７は、先にステップＳ４７で確認した、被写体１３上の位置ｅ’と光学レンズ１０との間の距離Ｅと同一の距離であるとみなせるエリアについて同様の処理を行い、エッジ像補正を実施して実施結果を補正画像記憶部２８に記憶する。
【００６６】
そして全てのエリアに対応した画像データの処理が済むと画像補正処理部２７は、補正画像記憶部２８に記憶した画像データを表示装置１５に送って表示させたり、外部記憶装置２９に送って保存したりし、ステップＳ８１で終了する。
【００６７】
なお以上の説明では、合焦希望位置ａ、または合焦希望距離Ａにピントがあったように画像処理する場合を例に説明してきたが、以上の説明からわかるとおり、画面全体にピントがあったように画像処理することも可能である。この場合は、図１におけるｄ３、図５におけるｄ７に相当するピントが合う方向のエッジ像補正を各位置で実施すればよい。また、図１、図５において撮像素子１１は、無限遠位置Ｐを図上下側に、最至近距離Ｎ側を図上上側に結像させるよう傾斜させた場合を例に説明してきたが、傾斜を逆にしたり、あるいは図面に垂直な方向を傾斜方向としても良い。
【００６８】
また、実施形態の撮像装置を備えたデジタルカメラが横位置に構えられたか縦位置に構えられたかを検出する、例えば重力方向検知手段を設け、それによって例えば撮像素子１１の常に下側が無限遠位置Ｐ側に、上側が最至近距離Ｎ側となるよう、駆動機構を取り付けて対応するようにしても良い。さらに、ボケ係数は図８に示したように光学レンズ１０のＦナンバーによって変化し、Ｆナンバーが大きくなると係数が小さくなるから、Ｆナンバーに応じて図１の撮像素子１１の傾斜角度θを変化させるように構成しても良い。
【００６９】
更に以上の説明では、光学レンズ１０を単レンズとして図示してきたが、これは説明を容易にするための図であり、通常の複数レンズで構成された光学系を備えることは勿論であり、また、ズームレンズを用いて構成しても良いことは自明である。なお、ズームレンズを用いた場合、被写体上の無限遠位置Ｐと最至近距離Ｎの結像位置が変化する場合、変化する焦点距離に応じて撮像素子１１の図１に示した角度θを変化できるよう、撮像素子１１の光軸位置、あるいは他の位置に回動機構を設けても良い。
【００７０】
以上種々述べてきたように本発明によれば、ピントを合わせたい被写体が中央に無くとも、撮影者が画面のピントを合わせたい箇所を指定するかピントを合わせたい距離を指定することで、その箇所或いは距離にあたかもピントが合ったような画像にする、あるいは画面全体をピントが合っているような画像にすることが可能となる。従って、前記したようにオートフォーカスに時間がかかってシャッターチャンスを逃すようなことが無く、かつ、機械的に動く部分がないからそれらの機構駆動用の要素が不要となり、安価に、小型に構成できる撮像装置を備えたデジタルカメラを提供することができる。
【産業上の利用可能性】
【００７１】
本発明によれば、シャッターチャンスを逃すようなことが無く、機構駆動用の要素が不要となって、安価に、小型に構成できる撮像装置を提供することができる。
【図面の簡単な説明】
【００７２】
【図１】（Ａ）が実施形態になる撮像装置における撮像素子の設置状態を概略的に示すと共に、ピント合わせの画像処理を説明するための図で、（Ｂ）が撮像装置における背後（被写体とは反対側）に設けられた表示装置と、表示装置上の上のピントを合わせたい位置を指示するための合焦位置指示手段と合焦距離指示手段の１例を示した図である。
【図２】実施形態になる撮像装置の画像処理回路の概略ブロック図である。
【図３】実施形態になる撮像装置の画像処理のフロー図である。
【図４】実施形態になる撮像装置の画像処理のフロー図である。
【図５】図４のフロー図に基づく画像処理を説明するための図である。
【図６】撮像素子を傾けたことにより画像に生じるひずみを除去する方法を説明するための図である。
【図７】（Ａ）は本発明の撮像装置を用いて撮影した画像データにおけるボケ具合を誇張して示した図、（Ｂ）が所定位置にピントを合わせる画像処理を施した後の画像データにおけるボケ具合を誇張して示した図である。
【図８】撮像装置に用いられる光学レンズのＦナンバー（焦点距離レンズの絞りによる有効開口で割った値）に対応するボケ量を算出するためのボケ係数を示したグラフである。
【符号の説明】
【００７３】
ａ  撮像画像上の合焦希望位置
ａ’被写体上の合焦希望位置
ｂ  他の被写体における撮像画像上の部位
ｂ’他の被写体上の部位
Ａ  被写体上の合焦希望位置ａ’から光学レンズまでの距離（または合焦希望距離）
Ａ’合焦希望位置ａに対応した合焦距離
Ｂ  他の被写体上の部位ｂ’から光学レンズまでの距離
Ｂ’他の被写体における撮像画像上の部位ｂに対応した合焦距離
ｄ１  被写体上の合焦希望位置ａ’からその合焦距離Ａ’迄の距離
ｄ２  他の被写体上の部位ｂ’からその合焦距離Ｂ’迄の距離
ｄ３  ＡとＢの距離差
１０  光学レンズ
１１  撮像素子
１２  被写体
１３  他の被写体
１４  実施形態の撮像装置を備えたデジタルカメラにおける背面側の概略構成
１５  表示装置
１６  合焦位置指示手段
１７  合焦距離指示手段
１８  カーソル
【図２】
2008028591.tif 000003
【図４】
2008028591.tif 000004
【図７】
2008028591.tif 000005
【図８】
2008028591.tif 000006
【図１】
2008028591.tif 000007
【図３】
2008028591.tif 000008
【図５】
2008028591.tif 000009
【図６】
2008028591.tif 000010